(57)【特許請求の範囲】
【請求項１】
基台部の底面側に弾性体を介してシート状清掃体を装着し、前記シート状清掃体により被清掃面の被清掃物質を捕集する拭き掃除具において、
前記シート状清掃体と当接する部位に、相互に間隔を開けるとともに、長手方向が清掃方向に対して斜めになるように多数の可撓性薄片を形成した
ことを特徴とする拭き掃除具。
【請求項２】
請求項１記載の拭き掃除具において、
相互に間隔を開けるとともに、長手方向が清掃方向に対して斜めになるように配置した前記可撓性薄片の列を複数列配置し、
互いに隣合う列における前記可撓性薄片が、逆の傾きをもつように配置した
ことを特徴とする拭き掃除具。
【請求項３】
請求項２記載の拭き掃除具において、
互いに隣合う列に配置された可撓性薄片が、相互にピッチをずらして配置された
ことを特徴とする拭き掃除具。
【発明の詳細な説明】
【０００１】
【発明の属する技術分野】
本発明は、拭き掃除具に関し、さらに詳細には、不織布、乾燥したクロス、布製雑巾あるいは紙製化学雑巾など（以下、これら不織布、乾燥したクロス、布製雑巾あるいは紙製化学雑巾などを総称して「シート状清掃体」と称す。）を取り付けて拭き掃除を行うための拭き掃除具に関する。
【０００２】
【従来の技術】
従来の拭き掃除具としては、例えば、図１に示すような拭き掃除具が知られている。
【０００３】
この図１に示す拭き掃除具１００は略長方体状の基台部１０２を備えており、この基台部１０２の上面には、全方向に自在に方向変換できるような任意の構造のジョイント部１０４を介して、操作ハンドル１０６が取り付けられている。
【０００４】
また、基台部１０２の底面には、当該底面の全面に略長方体状の弾性体１０８が取り付けられている。この弾性体１０８は、ゴムまたはその発泡体、あるいは軟質のプラスチックまたはその発泡体、あるいは熱可塑性エラストマーなどにより一体成形されたものであり、その底面は平板状に形成されている。
【０００５】
そして、弾性体１０８の底面全体を覆うようにシート状清掃体（図示せず）を取り付け、床面あるいは壁面など（以下、これら床面あるいは壁面などを総称して「被清掃面」と称す。）の上を摺動させることにより、被清掃面の汚れや埃など（以下、これら汚れや埃などを総称して「被清掃物質」と称す。）をシート状清掃体に付着させ、当該被清掃物質を捕集するようになされている。
【０００６】
なお、シート状清掃体を弾性体１０８の底面を覆うように取り付けているのは、拭き掃除具１００を凹凸のある被清掃面上で摺動させとときに、弾性体１０８の弾性変形により被清掃面の凹凸にシート状清掃体を追従させて清掃可能にするとともに、拭き掃除具１００の操作ハンドル１０６を把持して清掃する清掃者へ被清掃面の凹凸から伝達される衝撃を吸収するためである。
【０００７】
【発明が解決しようとする課題】
しかしながら、上記した従来の拭き掃除具１００においては、例えば、拭き掃除具１００を被清掃面１１０上で前進させると、図２に示すように、被清掃面１１０上の被清掃物質１１２を掻き取るようにようにして（スクレープするようにして）弾性体１０８の前縁部１０８ａに集めるだけで、被清掃物質１１２は弾性体１０８の前縁部１０８ａから後縁部１０８ｂ側、即ち、弾性体１０８の内方向へあまり進入することはないという問題点があった。
【０００８】
また、拭き掃除具１００を被清掃面１１０上で後進させた際にも、上記と同様な現象が生じるものであり、被清掃面１１０上の被清掃物質１１２を掻き取るようにようにして弾性体１０８の後縁部１０８ｂに集めるだけで、被清掃物質１１２は弾性体１０８の後縁部１０８ｂから前縁部１０８ａ側、即ち、弾性体１０８の内方向へあまり進入することはないという問題点があった。
【０００９】
従って、上記した従来の拭き掃除具１００を用いて清掃する際に、操作ハンドル１０６を持って前進・後進操作を繰り返しながら被清掃面１１０を摺動移動させる、所謂、ジグザグ操作を行うと、前進操作から後進操作に切り換わる際には、弾性体１０８の前縁部１０８ａに集められた被清掃物質１１２がそのまま被清掃面１１０上に取り残されることになってしまうものであった。
【００１０】
また、後進操作から前進操作に切り換わる際にも、上記と同様な現象が生じるものであり、弾性体１０８の後縁部１０８ｂに集められた被清掃物質１１２がそのまま被清掃面１１０上に取り残されることになってしまっていた。
【００１１】
即ち、上記した従来の拭き掃除具においては、前進操作においては弾性体の前縁部に被清掃物質が集められ、後進操作においては弾性体の後縁部に被清掃物質が集められることになり、上記したジグザグ操作を行うと、被清掃物質は拭き掃除具の前部および後部に残留してしまうという問題点があるとともに、またシート状清掃体における弾性体の前縁部および後縁部に対応する部位のみに被清掃物質の付着が集中し、シート状清掃体が部分的にしか清掃作用（被清掃物質の付着・捕集作用）を発揮することができないという問題点があった。
【００１２】
本発明は、従来の技術の有するこのような問題点に鑑みてなされたものであり、その目的とするところは、拭き掃除具の進行方向前方に被清掃物質を残留させることがないようにするとともに、シート状清掃体の被清掃面との接触部位を有効に利用して被清掃物質を付着・捕集することができるようにして、清掃効率を向上するようにした拭き掃除具を提供しようとするものである。
【００１３】
【課題を解決するための手段】
上記目的を達成するために、本発明における拭き掃除具は、基台部の底面側に弾性体を介してシート状清掃体を装着し、上記シート状清掃体により被清掃面の被清掃物質を捕集する拭き掃除具において、上記弾性体は、上記シート状清掃体と当接する部位が、相互に間隔を開けて配置された多数の可撓性薄片により形成されるようにしたものである。
【００１４】
即ち、本発明においては、基台部の底面側に配設した弾性体が、従来の拭き掃除具とは異なり、シート状清掃体と当接する部位に相互に間隔を開けて突出する多数の可撓性薄片を有するように構成されている。
【００１５】
なお、弾性体としては、基台部の底面に多数の可撓性薄片を植え込みなどにより取り付け、弾性体を基台部から突出形成された多数の可撓性薄片のみにより構成することも可能であるが、例えば、図３に示すように、弾性体１０を、基台部１２の底面に取り付けられるベース部１０ａと、ベース部１０ａに立設されて突出形成された可撓性薄片１０ｂとにより構成するようにしてもよい。
【００１６】
そして、本発明による弾性体は、ゴムまたはその発泡体、あるいは軟質のプラスチックまたはその発泡体、あるいは熱可塑性エラストマーなどのような、柔軟で弾性力を有する素材を一体成形することにより構成することができる。
【００１７】
ここで、図３は本発明による拭き掃除具の清掃作用の説明図であり、これに基づいて、本発明の原理を説明することとする。なお、図３においては、可撓性薄片１０ｂの先端部位と被清掃面１１０との間に存在すべきシート状清掃体に関しては、図３を簡明化するために省略した。
【００１８】
図３において、拭き掃除具を矢印Ａ方向へ進行させると、可撓性薄片１０ｂの先端部位は、被清掃面１１０と当接して湾曲しながら被清掃面１１０上の被清掃物質１１２を掻き取る（スクレープする）ように作用し、被清掃物質１１２を可撓性薄片１０ｂの進行方向前面側に集める。このときに、被清掃物質１１２は拭き掃除具の進行方向たる矢印Ａ方向とは逆方向の矢印Ｂ方向に相対的に移動するように作用し、被清掃物質１１２の一部は、可撓性薄片１０ｂの先端部位と被清掃面１１０との間をすり抜けて、可撓性薄片１０ｂの進行方向後面側に残留することになる。なお、符号１１２’は、可撓性薄片１０ｂの進行方向後面側に残留した被清掃物質を示す。
【００１９】
なお、上記した説明は、可撓性薄片１０ｂを被覆するようにシート状清掃体を拭き掃除具に装着していない状態の説明であるが、可撓性薄片１０ｂを被覆するようにシート状清掃体を拭き掃除具に装着した場合でも、被清掃物質１１２は上記した説明と同様な動作を示す。即ち、可撓性薄片１０ｂの先端部位は、シート状清掃体を介して被清掃面１１０と当接して湾曲しながら被清掃面１１０上の被清掃物質１１２を掻き取るように作用し、被清掃物質１１２を可撓性薄片１０ｂの進行方向前面側に集める。このときに、被清掃物質１１２の一部は、可撓性薄片１０ｂの先端部位を覆うシート状清掃体と被清掃面１１０との間をすり抜けて、可撓性薄片１０ｂの進行方向後面側に残留しようとするが、被清掃物質１１２が可撓性薄片１０ｂの先端部位を覆うシート状清掃体と被清掃面１１０との間をすり抜けようとする際に、当該被清掃物質１１２がシート状清掃体に強くこすり付けられることになり、当該被清掃物質１１２はシート状清掃体に付着される。図４は本発明による弾性体１０の底面図であり、可撓性薄片１０ｂの配列パターンが示されている。
【００２０】
図４に示す配列パターンにおいては、各可撓性薄片１０ｂは、所定の間隙を開けて、かつ各操作方向（矢印Ａ方向および矢印Ｃ方向）に対して長手方向斜めに配置されている。
【００２１】
さらに詳細には、各列の可撓性薄片１０ｂ−１乃至１０ｂ−４が、各列間において相互に平行するように間隔を開けるとともに、長手方向が清掃方向に対して斜めになるように配置され、さらに、互いに隣合う列の可撓性薄片１０ｂが逆方向に傾くように配置されている。また、互いに隣合う列の可撓性薄片１０ｂを逆方向に傾くように配置する際に、相互に半ピッチずらして配置している。
【００２２】
従って、この図４に示す配列パターンによれば、拭き掃除具の操作方向（矢印Ａ方向）と相対的に逆方向（矢印Ｂ方向）に移動する被清掃物質１１２は、まず第１列目の可撓性薄片１０ｂ−１に到達する。ここで、各列の可撓性薄片１０ｂ−１乃至１０ｂ−４が、各列間において相互に平行するように間隔を開けるとともに、長手方向が清掃方向に対して斜めになるように配置されているので、可撓性薄片１０ｂ−１に到達した被清掃物質１１２は、可撓性薄片１０ｂ−２方向へ容易に移動する。さらに、被清掃物質１１２は、上記と同様に、可撓性薄片１０ｂ−２から可撓性薄片１０ｂ−３へ、また可撓性薄片１０ｂ−３から可撓性薄片１０ｂ−４へと移動する。
【００２３】
こうして、可撓性薄片１０ｂ−１乃至１０ｂ−４に誘導された被清掃物質１１２は、弾性体１０の内方向に移動することになる。
【００２４】
上記したように、被清掃物質１１２は各可撓性薄片１０ｂに誘導されながら弾性体１０の内方向へ移動するが、その際に被清掃物質１１２の一部は、各可撓性薄片１０ｂの先端部位を覆うシート状清掃体と被清掃面１１０との間をすり抜けようとし、このときに各可撓性薄片１０ｂの先端部位を覆うシート状清掃体に強くこすり付けられて付着する。
【００２５】
この結果、シート状清掃体の被清掃面１１０との接触面全体を有効に利用して、被清掃物質１１２を付着させることができる。
【００２６】
【発明の実施の形態】
以下、添付の図面に基づいて、本発明による拭き掃除具の実施の形態を詳細に説明するものとする。
【００２７】
図５は本発明による拭き掃除具の実施の形態の一例を斜視図であり、図６は図５の矢印Ｄ方向から見た弾性体の底面図であり、図７は弾性体の底面斜視図である。
【００２８】
この実施の形態における拭き掃除具２０は、略平板状のプラスチック射出成形品などで形成された基台部２２を備え、この基台部２２の上面には、前後・左右・斜めの全方向に自在に方向変換できるユニバーサルジョイント２４を介して操作ハンドル２６が立設されている。
【００２９】
また、基台部２２の上面の左右両側部位には、シート状清掃体２８を基台部２２に保持するためのクランプ３０が配設されている。
【００３０】
さらに、この基台部２２には、ゴムまたはその発泡体、あるいは軟質のプラスチックまたはその発泡体、あるいは熱可塑性エラストマーなどにより一体成形された弾性体３２が着脱自在に嵌合されいる。
【００３１】
そして、弾性体３２は、基台部２２に着脱自在に嵌合するためのベース部３２ａとベース部３２に突出形成された多数の可撓性薄片３２ｂとを備えている。
【００３２】
図６および図７を参照しながら、可撓性薄片３２ｂの配列パターンを説明すると、この配列パターンは図４に示す配列パターンを応用したものであり、各可撓性薄片３２ｂは、所定の間隙を開けて、かつ各操作方向（矢印Ｅ方向および矢印Ｆ方向）に対して長手方向が斜めに配置されている。
【００３３】
さらに詳細には、可撓性薄片３２ｂの配列パターンは、図６上において、弾性体３２の中心線Ｏ１を中心として略左右対称に、あるいは中心線Ｏ２を中心として略上下対称に配置されている。
【００３４】
そして、図６上において左右方向に延長する各列の可撓性薄片３２ｂは、各列間において相互に平行するように間隔を開けるとともに、長手方向が清掃方向に対して斜めになるように配置され、さらに、概ね互いに隣合う列の可撓性薄片３２ｂが逆方向に傾くように配置されている。また、互いに隣合う列の可撓性薄片３２ｂを逆方向に傾くように配置する際に、相互に半ピッチずらして配置している。
【００３５】
従って、この図６および図７に示す配列パターンの可撓性薄片３２ｂを備えた弾性体３２を配設した拭き掃除具２０によれば、拭き掃除具の操作方向と相対的に逆方向に移動する被清掃物質（図示せず）が、各可撓性薄片３２ｂに誘導されて弾性体３２の内方向へ誘導されることになり、シート状清掃体２８の被清掃面（図示せず）との接触面全体を有効に利用して、被清掃物質を付着させることができる。
【００３６】
このため、拭き掃除具２０の進行方向前方に被清掃物質が残留することがなくなるとともに、シート状清掃体２８の被清掃面との接触部位全面を有効に利用して被清掃物質を付着・捕集することができるようになり、清掃効率を著しく向上できる。
【００３７】
【発明の効果】
本発明は、以上説明したように構成されているので、以下に記載されるような効果を奏する。
【００３８】
即ち、本発明は、基台部の底面側に弾性体を介してシート状清掃体を装着し、シート状清掃体により被清掃面の被清掃物質を捕集する拭き掃除具において、弾性体は、シート状清掃体と当接する部位が、相互に間隔を開けて配置された多数の可撓性薄片により形成されるようにしたため、拭き掃除具の進行方向前方に被清掃物質を残留させることがないとともに、シート状清掃体の被清掃面との接触部位を有効に利用して被清掃物質を付着・捕集することができるようになり、清掃効率を向上することができるという優れた効果を奏する。
【図面の簡単な説明】
【図１】従来の拭き掃除具の斜視図である。
【図２】従来の拭き掃除具における清掃作用の説明図である。
【図３】本発明による拭き掃除具の清掃作用の説明図である。
【図４】本発明による拭き掃除具の可撓性薄片の配列パターンを示す説明図である。
【図５】本発明による拭き掃除具の斜視図である。
【図６】本発明による弾性体の底面図である。
【図７】本発明による弾性体の底面斜視図である。
【符号の説明】
１０，３２        弾性体
１０ａ，３２ａ    ベース部
１０ｂ，３２ｂ    可撓性薄片
１２，２２        基台部
２０              拭き掃除具
２４              ユニバーサルジョイント
２６              操作ハンドル
２８              シート状清掃体
３０              クランプ
１１０      被清掃面
１１２      被清掃物質
【図１】
0003560399.tif 000002
【図２】
0003560399.tif 000003
【図３】
0003560399.tif 000004
【図４】
0003560399.tif 000005
【図５】
0003560399.tif 000006
【図６】
0003560399.tif 000007
【図７】
0003560399.tif 000008